(57)【要約】      （修正有）【課題】組立て加工時間を効果的に短縮し、使用の利便性を向上させ、コスト削減の効果を達成することができる固定フレーム及びその放熱モジュールを提供する。【解決手段】放熱器３と結合する固定フレーム２は、設置部２２を備えるフレーム本体２からなる。設置部２２の周辺は、少なくとも１つの延伸部２３を延伸する。サポート部２４は、各延伸部２３の設置部２２から離れた一端に形成し、延伸部２３から離れた一端に嵌合部２４３を備える。【選択図】図３
0003156640.tif 000002
【実用新案登録請求の範囲】
【請求項１】
固定フレームであって、放熱器と結合し、前記固定フレームは、該放熱器を設置するための設置部を備えるフレーム本体からなり、
前記設置部の周辺からは、複数の延伸部が延伸し、
該設置部を支持するための少なくとも１個のサポート部は、前記各延伸部の、前記設置部から離れた一端に形成され、
しかも、前記サポート部は、嵌合部を備え、該嵌合部は前記延伸部から離れた一端上に設置されることを特徴とする、固定フレーム。
【請求項２】
前記サポート部は、少なくとも２個のサポートアームを備え、
前記延伸部の両側辺は、相対する前記各サポートアームの一端に連接し、
前記嵌合部は、前記サポートアームの連接側とは反対端に形成したことを特徴とする、請求項１記載の固定フレーム。
【請求項３】
前記嵌合部は、少なくとも１個の突出部を前記サポートアームの反対端上に形成し、相互に対応するマザーボードと嵌合したことを特徴とする、請求項２記載の固定フレーム組。
【請求項４】
前記相互に対応する２個のサポートアームの相互の間には、弾性空間を形成したことを特徴とする、請求項２記載の固定フレーム。
【請求項５】
前記設置部は、該放熱器を装着するのに用いる設置孔を前記設置部の中心に設置したことを特徴とする、請求項１記載の固定フレーム及びその放熱モジュール。
【請求項６】
前記突出部は、逆カギ状を呈したことを特徴とする、請求項３記載の固定フレーム。
【請求項７】
前記設置部、前記延伸部、前記サポート部は一体成形したことを特徴とする、請求項１記載の固定フレーム。
【請求項８】
請求項1乃至７のいずれか１つに記載の固定フレームと、
該固定フレームに装着される放熱器と、
を備えたことを特徴とする放熱モジュール。
【請求項９】
放熱モジュールであって、固定フレーム、放熱器、導熱部品からなり、
前記固定フレームは、設置部、複数のサポート部、及び前記設置部の相対する周辺側から延伸する延伸部を備えるフレーム本体からなり、
前記サポート部の一端は、前記延伸部の一端に垂直に連接し、その反対端には、嵌合部が設けられ、しかも前記設置部と前記サポート部と前記延伸部は、一体に連結し、
前記放熱器は、前記設置部の相対する位置に設置され、該放熱器は、孔及び複数の放熱フィンを備え、
前記導熱部品は、前記フレーム本体と前記放熱器との間に挿通して設置され、これによって前記フレーム本体と前記放熱器を固定したことを特徴とする、放熱モジュール。
【請求項１０】
前記設置部は、設置孔が前記設置部の中心に設置され、しかも前記設置部の設置孔と前記放熱器の孔は、相互に連通したことを特徴とする、請求項９記載の放熱モジュール。
【請求項１１】
前記導熱部品の一端部と前記放熱器の端面は、平坦状を呈して連続し、該導熱部品の反対端は、前記設置部と背中合わせの放熱器の他方の端面に突出し、発熱部品に対して緊密に接触することを特徴とする、請求項９記載の放熱モジュール。
【考案の詳細な説明】
【技術分野】
【０００１】
本考案は、固定フレーム及びその放熱モジュールに関し、特にフレーム本体とそれに設けられた嵌合部の設計を利用し、かつフレーム本体を放熱器と対応させて結合し、組立て加工時間を効果的に短縮し、利便性を向上させ、その結果として、コスト削減を効果的に達成する固定フレーム及びその放熱モジュールに関するものである。
【背景技術】
【０００２】
近年、IT技術の急速な発展により、電子製品(コンピューターなど)の使用は日に日に普及しており、しかも広く応用されている。
コンピューターなどの電子製品の演算処理速度は上昇し、アクセス容量が増加することで、電子製品中の電子部品は高速作動に伴い高温を発生するようになっている。
コンピューターを例とすると、コンピューターの作動時、内部のCPUは高速で演算処理を行うことで高温を発生し、CPUは不安定な状態となり、シャットダウンし、深刻な場合には、ショートし、或いはCPUが損壊する恐れさえある。
よって、CPU及び他の電子部品が発生する熱を迅速に排出することは、重要な課題である。
【０００３】
一般のCPUに最も多く使用される放熱方式は、CPU上方に放熱器（heat sink）を設置し、放熱させるものである。  
マザーボード上の対応するCPU上にその放熱器を設置するためには、固定フレームを用いる。  
前記放熱器が前記固定フレーム上に安定的に固定されることで、ずれたり、移動したりする恐れはなくなり、放熱器による熱の排除と放熱の効果を維持することができる。
【０００４】
図１及び２に示すように、従来の固定フレーム構造は、収容設置空間10と複数のサポート部11を備えるフレーム体1からなる。  
このフレーム体1の中心には、その収容設置空間10内に相対する放熱器13を収容する。
各サポート部11は、全体構造をサポートし、しかも前記フレーム体1の四隅から下方へと延伸し、さらに屈折して固定部111を形成する。  
この固定部111は、固定孔113を備え、相対するバネネジ15及びナット16を固定孔113に対応させてマザーボード17に固定する。  
しかも、前記フレーム体1の内壁には、複数のストッパー部12が突出状に設置され、該ストッパー部12に相対して前記放熱器13を固定する。
【０００５】
フレーム体1と放熱器13を、相対するマザーボード17上に組立てる時には、先ず、放熱器13の外周端面と相対する前記各ストッパー部12が相互に接触するまで、前記各サポート部11中央の収容設置空間10内において前記放熱器13を押圧する。  
次に、前記フレーム体1と前記放熱器13を一緒にマザーボード17上に固定する。  
これにより、前記放熱器13の上下端面の図示下端面は、相対する前記マザーボード17上の発熱部品171(CPUなど)の表面に接触する。  
同時に、前記各サポート部11の固定部111の固定孔113は、前記マザーボード17上の孔にちょうど対応し、前記バネネジ15を順番に固定孔113、ナット16、孔に通し固定する。  
こうして、前記放熱器13と前記フレーム体1は、前記マザーボード17上に安定的に固定される。
【０００６】
しかし、各フレーム体1はその湖底部111をすべて、前記バネネジ15及びナット16を対応させて、初めてマザーボード17上に固定されるため、組立てに比較的長い時間がかかる。  
しかも、製造時には、前記バネネジ15と前記ナット16を別に製造する必要がある。
該バネネジ15と該ナット16の製造コストは低くなく、組立ては煩雑であるため、全体的な生産コストを拡大することとなる。  
加えて、前記各バネネジ15をマザーボード17上に螺合する時、各ネジによって加わる力が不均一或いは力が過度であれば、マザーボード17の損壊を招いてしまい、使用者が組立て及び使用する際に不具合を生じる。
【０００７】
このような先行技術文献の他の例として、例えば特許文献１に示されているように、マザーボード100上に配設された中央処理装置102の上に伝熱体31及びファン32を組み合わせた放熱器30をフレーム41と固定ねじ401及びボルト60を用いて固定する放熱器固定構造がある。
【０００８】
上記したように、従来の技術には、以下のような欠点が存在する。
1. 生産コストが嵩む。
2. 組立て加工時間がかかる。
3. 組立て及び使用の利便性が悪い。
4．製品構造が複雑。
本考案は、従来の放熱器の上記した欠点に鑑みてなされたものである。
【先行技術文献】
【特許文献】
【０００９】
【特許文献１】実用新案登録第３１２０３５１号
【考案の概要】
【考案が解決しようとする課題】
【００１０】
本考案の第一の目的は、フレーム本体を一体成形とし、フレーム本体を放熱器と対応させて結合することで、コスト削減を効果的に達成する固定フレームを提供することである。
本考案の第二の目的は、マザーボードと迅速に組み合わせて設置することができる固定フレームを備える放熱モジュールを提供することである。
本考案の第三の目的は、組立て及び使用において、使用者に対して利便性を提供可能な固定フレームを提供することである。
本考案の第四の目的は、組立て加工時間を短縮することができる固定フレームを提供することである。
【課題を解決するための手段】
【００１１】
上記課題を解決するため、本考案は下記の固定フレーム及びそれを備えた放熱モジュールを提供する。
固定フレームは放熱器と結合し、
前記固定フレームは、設置部、少なくとも１つのサポート部、及び該設置部の周辺の相対する側から延伸する延伸部を備えるフレーム本体からなり、
前記サポート部は、前記各延伸部の、前記設置部から離れた一端に形成し、
しかも、前記サポート部は、嵌合部を前記延伸部から離れた一端上に設置している。
これにより、前記フレーム本体の設計により、組立て加工時間を効果的に短縮でき、しかも組立てと使用の利便性を大きく向上させられ、こうしてコスト削減の効果を達成することができる。
放熱モジュールは、設置部，少なくとも１つのサポート部，及び前記設置部の周辺の相対する側から延伸する延伸部を備えるフレーム本体と、本体及び複数の放熱フィンを備える放熱器とを備え、
前記サポート部の一端は、前記延伸部の一端に垂直に連接し、
前記サポート部の反対端には、嵌合部を備え、
しかも前記設置部と前記サポート部、前記延伸部は一体に連結し、
前記放熱器は、前記設置部の対応する位置に設置され、
前記各放熱フィンは、前記放熱器の本体周囲に沿って、取り囲むように形成され、
該放熱器の本体の片側には、導熱部を突出して形成し、前記フレーム本体の設置部の対応する位置に突出することで、放熱モジュールを形成している。
これにより、固定フレームの嵌合部と、対応するマザーボードを迅速に組立てることができ、組立て加工時間を短縮し、利便性を向上させることができる他、コスト削減を効果的に達成することができる。
【考案の効果】
【００１２】
本考案の固定フレーム及びそれを備えた放熱モジュールは、固定フレームの設計により、組立て加工時間を効果的に短縮し、使用の利便性を向上させられる他、これによりコスト削減の効果を達成することができる。
【図面の簡単な説明】
【００１３】
【図１】従来の固定フレーム構造の分解模式図である。
【図２】従来の固定フレーム構造の実施状態を示す組合せ側面図である。
【図３】本考案の一実施例の固定フレーム及びそれを備えた放熱モジュールの分解模式図である。
【図４】図３と同じ実施例の固定フレーム及びそれを備えた放熱モジュールの組合せ模式図である。
【図５】図３と同じ実施例の使用状態を示す組合せ側面図である。
【考案を実施するための形態】
【００１４】
以下に図面を参照しながら本考案を実施するための最良の形態について詳細に説明する。
【実施例】
【００１５】
図３乃至５に示すように、固定フレーム及びそれを備えた放熱モジュールの一実施例において、固定フレーム2は、放熱器3と結合して使用する。
【００１６】
該固定フレーム2は、放熱器３を設置するための設置部22を備えるフレーム本体20からなる。
前記設置部22の周辺例えば四隅は外へと複数の延伸部23が延伸する。
【００１７】
少なくとも１個のサポート部24は、前記設置部22から離れた前記各延伸部23の一端に形成される。  
つまり、前記各延伸部23は、前記設置部22の四隅の2個の相対端から延伸し、各サポート部24に連接し、しかも前記サポート部24は、嵌合部243を備える。
【００１８】
前記嵌合部243は、前記延伸部23から離れた各サポート部の一端に設置され、すなわち、前記嵌合部243は前記サポート部24の前記延伸部23と連接していない一端から延伸して構成される。  
前記設置部22、前記延伸部23、前記サポート部24は、一体成形とする。
【００１９】
前記サポート部24は、少なくとも１個のサポートアーム241を備える。  
前記延伸部23は、前記サポートアーム241一端に連接し、すなわち、前記各延伸部23は、前記設置部22の一端即ち四隅の側辺に近い位置に、サポートアーム241の一端を連接する。
【００２０】
前記サポートアーム241の反対端は、前記嵌合部243を形成する。  
しかも、前記サポートアーム241は、弾性を備え、これにより前記サポートアーム241は、圧力を受けて図示水平方向の往復動作を行なう。
【００２１】
前記嵌合部243は、少なくとも１個の逆カギ状を呈する突出部2431を備える。  
前記突出部2431は、前記サポートアーム241の前述の反対端上に形成され、相対するマザーボード6上の複数の固定孔と相互に嵌合して固定される。
【００２２】
本考案はまた、前記設置部22一端から離れた前記延伸部23の近接する両側辺に、それぞれサポートアーム241の一端を連接することができる。すなわち、１つの前記延伸部23に連接して２つのサポートアーム241を形成することができる。
【００２３】
前記サポートアーム241の反対端は、前述の嵌合部243を形成する。  
しかも、嵌合部243は、例えば、相互に対応する２個の該サポートアーム241相互間を、弾性空間26として区画し、それによって該サポートアーム241に圧力を受ける往復空間を提供する。
【００２４】
前記嵌合部243は、少なくとも１個の逆カギ状を呈する突出部2431を備える。  
前記突出部2431は、前記サポートアーム241の連接側とは反対端上に形成され、相対するマザーボード6上の複数の固定孔と相互に嵌合して固定される。
【００２５】
図３乃至５に示すように、前記設置部22は、円形或いは多角形を呈する設置孔221を備える。  
前記設置孔221は、前記設置部22の中心に形成し、しかも前記設置部22の相対する両側の延伸部23の間に設置する。  
しかも、前記設置部22の一平面(図示表面)上には、前記放熱器3を接続する。
【００２６】
前記放熱器3は、本体及び複数の放熱フィン32からなる。  
前記各放熱フィンは、該本体周囲に沿って、取り囲むように形成する。  
前記放熱器3の本体の片側(図示下方側)には、導熱部4を突出して形成する。  
前記導熱部4は、導熱部品として別体のものを図示のようにフレーム本体20の設置部22を貫通して設置してもよい。こうして放熱モジュールを形成する。つまり、固定フレーム2、放熱器3、及び記導熱部品4は組立てられて放熱モジュール50を構成している。
【００２７】
前記放熱器3は、本体に設けた円形を呈する孔31、及び前記孔31周囲に沿って延伸し形成する複数の放熱フィン32を備える。  
前記各放熱フィン32は、相対する前記延伸部23の端面上に接触する。  
つまり、前記放熱フィン32の一部の自由端は、相互に対応する前記各延伸部23の端面と緊密に接触する。  
しかも、前記孔31と相対する設置孔221は、相互に連通する。孔31と設置孔221とは、同じ大きさ(径)の孔である。
【００２８】
続いて、前記フレーム本体20と前記放熱器3の間には、導熱部品4を挿入して設置する。  
前記導熱部品4は、銅、銀、アルミニウム、或いはその合金などの熱伝導係数が高い材料により製造し、最適な熱伝導効果を備える。
【００２９】
しかも、前記導熱部品4の一端部(図示上端部)と前記放熱器3の端面(図示上橋面)は平坦状を呈して連続し、該導熱部品4の反対の端部((図示下端部)は、前記設置部22と背中合わせの放熱器3の端面(すなわち、前記設置部22の反対端面である図示下方端面)に突出し、前記マザーボード6上の発熱部品61(CPUなど)の例えば一面(発熱面)に対して緊密に接触する(図５参照)。
【００３０】
すなわち、前記導熱部品4の反対端部((図示下端部)は、相対する前記孔31及び前記設置孔221内を順番に通過し、前記設置部22の反対端面から突出して、前記発熱部品61の表面に接触する。
【００３１】
なお、本実施例では、前記導熱部品4は円柱状を呈するが、これに限定するものではない。  
本考案の実際の実施時には、前記導熱部品4の形状は、前記孔31及び前記設置孔221の形状と対応するあらゆる設計とすることができる。
【００３２】
よって、使用者が、前記フレーム本体20と前記マザーボード6を組立てる時には、先ず、前記放熱器3を、前記フレーム本体20の設置部22方向へと押し、前記放熱器3の放熱フィン32を、前記設置部22の一面上に接触させる。
【００３３】
この時、前記各放熱フィン32の自由端は、前記各延伸部23の端面上に対応して接触し、前記設置部22の設置孔221と相対する放熱器3の孔31は相互に連通する。
【００３４】
前記導熱部品4の一端部は、前記設置孔221及び前記孔31に相対して通過する。  
該導熱部品4の反対端部は、前記設置部22の反対端面から突出し、これにより前記放熱器3と前記フレーム本体20は安定的に一体に結合する。
【００３５】
続いて、前記フレーム本体20を前記マザーボード6の方向へと押し、しかも前記フレーム本体20上の４個のサポート部24のサポートアーム241の嵌合部243と前記マザーボード6上の４個の固定孔は相互に対応する。
【００３６】
こうして、前記各嵌合部243の突出部2431の前端部分は、前記マザーボード6の各固定孔内に入る。  
これにより前記各延伸部23の両側辺の対応するサポートアーム241は、圧迫力を受けて、弾性空間26内へと圧縮される。
【００３７】
こうして、前記各嵌合部243の突出部2431の先端部分が、前記マザーボード6の固定孔の反対端(図示下方端面)に突出し、前記マザーボード6上に嵌る。  
この時の相互に対応する２個のサポートアーム241は、被圧縮の状態から未圧縮の状態へと弾力により戻る。
【００３８】
同時に、前記導熱部品4の反対端は、発熱部品61上にちょうど緊密に接触するため、組立て加工時間を効果的に短縮可能であるばかりか、組立て及び使用において、使用者に十分な利便性を提供することができる。
【００３９】
前記フレーム本体20は、一体成形できるため、組立て時には、ネジなどを用いて螺合する必要はない。  
前記フレーム本体20の嵌合部243により、嵌めて固定するだけで良いため、組立て及び使用を簡略化し、全体構造を簡易にすることができる。  
さらに、これによりコスト削減を効果的に達成することができる。
【００４０】
上記のように、本考案の固定フレーム及びその放熱モジュールは、以下のような長所を備える。  
1. コスト削減。  
2. 加工時間短縮。  
3. 組合せが迅速。  
4. 構造が簡単。  
5. 利便性が高い。
【００４１】
上記の本考案名称と内容は、本考案技術内容の説明に用いたのみで、本考案を限定するものではない。本考案の精神に基づく本考案と等価な応用或いは部品（構造）の転換、置換、数量の増減はすべて、本考案の保護範囲に含むものとする。
【産業上の利用可能性】
【００４２】
本考案は実用新案登録請求の要件である新規性を備え、従来の同類製品に比べ十分な進歩を有し、実用性が高く、社会のニーズに合致しており、産業上の利用価値は非常に大きい。
【符号の説明】
【００４３】
2  固定フレーム
2431  突出部
20  フレーム本体  
26  弾性空間      
22  設置部
221  設置孔
23  延伸部
24  サポート部
241  サポートアーム
243  嵌合部
3  放熱器
31  孔      
32  放熱フィン
4  導熱部品
50  放熱モジュール
6  マザーボード
61  発熱部品      
【図１】
0003156640.tif 000003
【図２】
0003156640.tif 000004
【図３】
0003156640.tif 000005
【図４】
0003156640.tif 000006
【図５】
0003156640.tif 000007
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
固定フレームであって、放熱器と結合し、前記固定フレームは、該放熱器を設置するための設置部を備えるフレーム本体からなり、
前記設置部の周辺からは、複数の延伸部が延伸し、
該設置部を支持するための少なくとも１個のサポート部は、前記各延伸部の、前記設置部から離れた一端に形成され、
しかも、前記サポート部は、嵌合部を備え、該嵌合部は前記延伸部から離れた一端上に設置されることを特徴とする、固定フレーム。
【請求項２】
前記サポート部は、少なくとも２個のサポートアームを備え、
前記延伸部の両側辺は、相対する前記各サポートアームの一端に連接し、
前記嵌合部は、前記サポートアームの連接側とは反対端に形成したことを特徴とする、請求項１記載の固定フレーム。
【請求項３】
前記嵌合部は、少なくとも１個の突出部を前記サポートアームの反対端上に形成し、相互に対応するマザーボードと嵌合したことを特徴とする、請求項２記載の固定フレーム。
【請求項４】
前記相互に対応する２個のサポートアームの相互の間には、弾性空間を形成したことを特徴とする、請求項２記載の固定フレーム。
【請求項５】
前記設置部は、該放熱器を装着するのに用いる設置孔を前記設置部の中心に設置したことを特徴とする、請求項１記載の固定フレーム。
【請求項６】
前記突出部は、逆カギ状を呈したことを特徴とする、請求項３記載の固定フレーム。
【請求項７】
前記設置部、前記延伸部、前記サポート部は一体成形したことを特徴とする、請求項１記載の固定フレーム。
【請求項８】
放熱モジュールであって、固定フレーム、放熱器、導熱部品からなり、
前記固定フレームは、設置部、複数のサポート部、及び前記設置部の相対する周辺側から延伸する延伸部を備えるフレーム本体からなり、
前記サポート部の一端は、前記延伸部の一端に垂直に連接し、その反対端には、嵌合部が設けられ、しかも前記設置部と前記サポート部と前記延伸部は、一体に連結し、
前記放熱器は、前記設置部の相対する位置に設置され、該放熱器は、孔及び複数の放熱フィンを備え、
前記導熱部品は、前記フレーム本体と前記放熱器との間に挿通して設置され、これによって前記フレーム本体と前記放熱器を固定したことを特徴とする、放熱モジュール。
【請求項９】
前記設置部は、設置孔が前記設置部の中心に設置され、しかも前記設置部の設置孔と前記放熱器の孔は、相互に連通したことを特徴とする、請求項８記載の放熱モジュール。
【請求項１０】
前記導熱部品の一端部と前記放熱器の端面は、平坦状を呈して連続し、該導熱部品の反対端は、前記設置部と背中合わせの放熱器の他方の端面に突出し、発熱部品に対して緊密に接触することを特徴とする、請求項８記載の放熱モジュール。